(57)【要約】【課題】就寝中に特に他部に比して保温したい部分、例えば足部であるとか腹部であるとかが生じた際に、その部分のみを特に他部に比して厚く被うことの出来る掛布団を得る。【解決手段】就寝者の少なく共肩部から足部までを覆う身長方向の長さを有する、同型の基礎掛布団の複数を、結合部材により積層固定可能とした掛布団において、前記積層した基礎掛布団に基礎掛布団より身長方向の長さの短い補助掛布団を、更に積層固定してなる。【選択図】図１
0003108142.tif 000002
【実用新案登録請求の範囲】
【請求項１】
就寝者の少なく共肩部から足部までを覆う身長方向の長さを有する、同型の基礎掛布団の複数を、結合部材により積層固定可能とした掛布団において、前記積層した基礎掛布団に基礎掛布団より身長方向の長さの短い補助掛布団を、更に積層固定することを特徴とする掛布団。
【考案の詳細な説明】
【技術分野】
【０００１】
本考案は、就寝時に身体の特定部位を選択して他部位に比較して特に保温することが出来る掛布団に関する。
【背景技術】
【０００２】
就寝時、敷布団の上に横たわり掛布団を掛けて休むのが一般的であり、季節によって使用する敷布団或いは掛布団の種類・枚数を変更している。
【０００３】
例えば、芯材と保温用布団と、通気用布団とを用意し、これらを季節に応じ適宜選択し重ね合わせ、面ファスナー或いはホック等で固定することによって好みの寝床内気象を得る寝具（特許文献１）、或いは、厚手の下側掛布団と薄手の上側掛布団とを面ファスナーで止着し、冬期に２枚重ねて使用し、夏期には薄手の上側掛布団のみを取り外して使用する（特許文献２）ものなどが知られている。然しながら、いずれの布団にあっても、重ね合わせた各布団の大きさはほぼ同一であって、身体全体を同様に被うことになる。
【０００４】
然しながら、就寝時においては例えば足部が冷えるので足部を暖めたい、或いは腹部のみを暖めたい、腹部の冷えるのを防止したいという情況になることはしばしばで、前記のように身体全体を均一に覆った布団では対処できない。
【特許文献１】特開２００３−１４４２７４号公報
【特許文献２】実用新案登録第３００６７５１号公報
【考案の開示】
【考案が解決しようとする課題】
【０００５】
本考案は上記の点に鑑みて、就寝中に特に他部に比して保温したい部分、例えば足部であるとか腹部であるとかが生じた際に、その部分のみを特に他部に比して厚く被うことの出来る掛布団を得ることを目的としている。
【課題を解決するための手段】
【０００６】
本考案掛布団は、就寝者の少なく共肩部から足部までを覆う身長方向の長さを有する、同型の基礎掛布団の複数を、結合部材により積層固定可能とした掛布団において、前記積層した基礎掛布団に基礎掛布団より身長方向の長さの短い補助掛布団を、更に積層固定してなる。
【考案の効果】
【０００７】
本考案掛布団は、就寝者の少なく共肩部から足部までを覆う身長方向の長さを有する、同型の基礎掛布団の複数を、結合部材により積層固定可能とした掛布団において、前記積層した基礎掛布団に基礎掛布団より身長方向の長さの短い補助掛布団を、更に積層固定したために、身体の冷えた部分を暖めたい、或いは就寝中の冷えを予防したいなどの目的のために身体の処理対象の各部を選んで基礎掛布団に重ね補助掛布団を使用することが出来、良い就寝環境を得ることが出来る。
【考案を実施するための最良の形態】
【０００８】
本考案の実施の形態を図面と共に次に説明する。図１は本考案掛布団を積層する状態を示す斜視図、図２は補助掛布団を腹部に積層した状態の斜視図、図３は基礎掛布団の足部に補助掛布団を積層した部分側面図である。
【０００９】
本考案掛布団１は基礎掛布団２と補助掛布団３とよりなる。基礎掛布団２は就寝者４の身長方向に長く少なくとも就寝者の肩から足先まで覆うことの出来る長さＬと、適宜長さの巾Ｗを有している。基礎掛布団２は、上下の側地間に詰物として化合繊わた、毛，綿等の天然わた、羽毛、ウレンタンフォーム等を適宜封入してなり、必要に応じてキルティングをし、或いは羽毛等を封入した製品にあたっては襠布等により小室を構成している。更には各種の素材を組み合わせたものも用いられる。基礎掛布団２は複数枚用意され、いずれも周縁の同位置に係止部材５が設けられている。図示の例ではホックを使用しており基礎掛布団２の外周の４隅と、長辺Ｌの中間に２個所に設けられている。そして、基礎掛布団２を積層する際には、対向する同位置にあるホック同志を嵌め合わせ固定する。
【００１０】
補助掛布団３は、側地詰物等は基礎掛布団２と同様で差し支えないが、毛布或いはタオルケット状のものを使用することも出来る。補助掛布団３はその巾方向長さＷは基礎掛布団２と同一であるが、身長方向長さは基礎掛布団２より短い。即ち、就寝者の身体の一部例えば腹の冷えを防ぐ、足を暖めるなどのために、腹部或いは足部にのみかかるように用いるために、該部の長さがあればそれで良く、図示の例では基礎掛布団２の長さＬの３分の１の長さとしている。
【００１１】
腹部に使用するときは基礎掛布団２の中央に、足部に使用するときは基礎掛布団２の端部に置く。基礎掛布団２，補助掛布団３の周囲４隅に係止部材５として図示の例ではホックを設けている。尚、図示の例では基礎掛布団２，補助掛布団３にホックを設けているが、特にホックに限定する必要はなく面ファスナー，紐状体等で差し支えない。
【００１２】
本考案掛布団１を使用する際は、夏季等の高温時には複数の基礎掛布団２を分割し一枚の基礎掛布団２のみとして使用し、季節に応じ基礎掛布団２の積層枚数を調整する。
そして、上記の使用状態において特に特定の部位について、更に保温・冷え防止等の効果を得たいと云うことが生ずれば、その部分に補助掛布団３を重ね補助掛布団３と基礎掛布団２とを係止具５で固定し積層枚数を増加する。図１に示す例は基礎掛布団２を２枚重ね、補助掛布団３を足部に１枚重ねる状態を示している。
【００１３】
尚、図示はしないが、補助掛布団３は基礎掛布団２と完全に重なる状態とはせず、基礎掛布団２の長手方向の端部の係止具２個所のみを使用して補助掛布団３を連続することで掛布団の面積を広げるような使用法をした場合補助掛布団３が就寝者の首廻りを覆うことが出来、防寒手段の１つとして利用することも可能である。
【００１４】
尚、図示した例では補助掛布団３を、重ね合わせた基礎掛布団２の上面に置いたが、重ねた基礎掛布団２の間に挿入して使用することも可能である。
【産業上の利用可能性】
【００１５】
本考案は掛布団として具体化されているが、敷寝具として利用することも出来る。
【図面の簡単な説明】
【００１６】
【図１】本考案掛布団を積層する状態を示す斜視図。
【図２】補助掛布団を腹部に積層した状態の斜視図。
【図３】基礎掛布団の端部に補助掛布団を積層した部分側面図。
【符号の説明】
【００１７】
１  掛布団
２  基礎掛布団
３  補助掛布団
４  就寝者
５  係止部材
【図１】
0003108142.tif 000003
【図２】
0003108142.tif 000004
【図３】
0003108142.tif 000005
【手続補正書】
【提出日】平成16年11月5日(2004.11.5)
【手続補正１】
【補正対象書類名】実用新案登録請求の範囲
【補正対象項目名】請求項１
【補正方法】変更
【補正の内容】
【請求項１】
就寝者の肩部から足部までを覆う身長方向の長さを有する、同型の基礎掛布団の複数に結合部材を設け、該結合部材により積層固定可能とした掛布団において、前記積層した基礎掛布団と基礎掛布団より身長方向の長さの短い補助掛布団とに結合部材を設け、前記両掛布団を結合部材により、更に積層固定することを特徴とする掛布団。
【手続補正２】
【補正対象書類名】明細書
【補正対象項目名】０００６
【補正方法】変更
【補正の内容】
【０００６】
本考案掛布団は、就寝者の肩部から足部までを覆う身長方向の長さを有する、同型の基礎掛布団の複数に結合部材を設け、該結合部材により積層固定可能とした掛布団において、前記積層した基礎掛布団と基礎掛布団より身長方向の長さの短い補助掛布団とに結合部材を設け、前記両掛布団を結合部材により、更に積層固定してなる。
【手続補正３】
【補正対象書類名】明細書
【補正対象項目名】０００７
【補正方法】変更
【補正の内容】
【０００７】
本考案掛布団は、就寝者の肩部から足部までを覆う身長方向の長さを有する、同型の基礎掛布団の複数に結合部材を設け、該結合部材により積層固定可能とした掛布団において、前記積層した基礎掛布団と基礎掛布団より身長方向の長さの短い補助掛布団とに結合部材を設け、前記両掛布団を結合部材により、更に積層固定したために、身体の冷えた部分を暖めたい、或いは就寝中の冷えを予防したいなどの目的のために身体の処理対象の各部を選んで基礎掛布団に重ね補助掛布団を使用することが出来、良い就寝環境を得ることが出来る。
【手続補正４】
【補正対象書類名】明細書
【補正対象項目名】０００９
【補正方法】変更
【補正の内容】
【０００９】
本考案掛布団１は基礎掛布団２と補助掛布団３とよりなる。基礎掛布団２は就寝者４の身長方向に長く就寝者の肩から足先まで覆うことの出来る長さＬと、適宜長さの巾Ｗを有している。基礎掛布団２は、上下の側地間に詰物として化合繊わた、毛，綿等の天然わた、羽毛、ウレンタンフォーム等を適宜封入してなり、必要に応じてキルティングをし、或いは羽毛等を封入した製品にあたっては襠布等により小室を構成している。更には各種の素材を組み合わせたものも用いられる。基礎掛布団２は複数枚用意され、いずれも周縁の同位置に係止部材５が設けられている。図示の例ではホックを使用しており基礎掛布団２の外周の４隅と、長辺Ｌの中間に２個所に設けられている。そして、基礎掛布団２を積層する際には、対向する同位置にあるホック同志を嵌め合わせ固定する。